(57)【要約】【課題】  端子ホルダを備える配線基板が収容される電気接続箱において、端子ホルダの反り現象が発生し難い電気接続箱を提供することを目的とする。【解決手段】電気接続箱内に収容される配線基板と、前記配線基板に装着される端子ホルダ１とを備える電気接続箱において、前記端子ホルダ１に設けられた端子挿入孔６の内部に端子２を保持する端子保持部８が設けられ、前記端子保持部が前記端子挿入孔の端子挿入方向の略中間部に設けられていることを特徴とする。【選択図】  図１
2006156355.tif 000002
【特許請求の範囲】
【請求項１】
電気接続箱内に収容される配線基板と、前記配線基板に装着される端子ホルダとを備える電気接続箱において、
前記端子ホルダに設けられた端子挿入孔の内部に端子を保持する端子保持部が設けられ、前記端子保持部が前記端子挿入孔の端子挿入方向の略中間部に設けられていることを特徴とする電気接続箱。
【請求項２】
前記端子ホルダの端子挿入孔内部に設けられた端子保持部が前記端子挿入孔の内部壁面に設けられた突起リブであることを特徴とする請求項１記載の電気接続箱。
【請求項３】
電気接続箱内に収容される配線基板と、前記配線基板に装着される端子ホルダとを備える電気接続箱において、
前記端子ホルダに設けられた端子挿入孔は、端子を保持する端子保持部と、該端子保持部の端子挿入方向の両側それぞれに設けられた端子非接触部を有することを特徴とする電気接続箱。
【発明の詳細な説明】
【技術分野】
【０００１】
本発明は、自動車内等に搭載される電気接続箱に関するものである。
【背景技術】
【０００２】
従来から、例えば車両等において、バッテリーと、ランプやヒーター等の電気機器や補機との間の接続にはワイヤーハーネスが用いられ、このワイヤーハーネス上には電気接続箱等も接続されている。電気接続箱はバッテリーから供給される電力を前記の電気機器や補機に分配したり、過電流から保護することなどを目的としてリレーやヒューズなどが搭載されている。
【０００３】
電気接続箱は、樹脂製のアッパーケース、ロアケース、アッパーカバー、及びロアカバーと、ロアケースとアッパーケースにより構成された筐体と、筐体に収納され、リレーやヒューズ等の電気部品を搭載した配線基板などを備えている。配線基板は図４に示すように、互いに対向配置され、複数の電子部品４及びコネクタ端子Ｃがそれぞれ装備された２枚配線基板３からなり、この配線基板３には端子ホルダ１が装着される（特許文献１）。
【０００４】
端子ホルダ１は、図５に示すように、樹脂でできた細長の直方体形状を有し、図４に示すように配線基板３の縁辺に沿って取付けられ、複数の端子２が端子ホルダ１の長手方向に一定間隔を隔てて取付けられる。端子２は、端子ホルダ１に設けられた端子挿入孔６に圧入され、脚部５がＬ字状に折り曲げられて図４に示すように配線基板３に接続される。
なお、端子２は、図６に示すように、脚部５の反対側の端部には音叉部２２が設けられ、音叉部２２にはヒューズなどの電気部品又はコネクタ等が接続され、音叉部２２と脚部５の境界には段差部７が設けられている。また、端子挿入孔６は、接続されヒューズや電気部品またはコネクタなどの数に応じて、端子ホルダ１に複数個所設けられ、図７に示すように、端子挿入孔６の挿入方向から見て下側の端部（図７（ｂ）上で、下側）には、端子２を保持するための端子保持枠８が設けられている。
【０００５】
【特許文献１】特開２００４−０８０８５２公報
【発明の開示】
【発明が解決しようとする課題】
【０００６】
図７に示すような端子ホルダ１の構造は、端子ホルダ１に設けられた端子挿入孔６に端子保持枠８が設けられており、端子保持枠８の口径を端子挿入孔６の入り口の口径よりも小さく、脚部５の断面積よりもやや小さく設定されており、そのため、図７（ｃ）に示すように、端子２の脚部５が端子ホルダ１の端子挿入孔６に圧入されて、端子２が端子ホルダ１に固定される。
【０００７】
しかしながら、このような構造を採用すると、図７（ｃ）に示すように、端子挿入孔６の下部に端子圧入時の応力Ｔが端子保持枠８に加わり、その応力Ｔが端子保持枠８を広げるような力として発生する。そして、端子２の数が多くなってくると、図８に示すように端子ホルダ１の片側に前記の端子保持枠８を広げるような力が相乗して端子ホルダ１が図８のＳ方向に反るという現象が発生する虞があった。
【０００８】
端子自動挿入機等で端子２を端子ホルダ１に挿入する際などに、この反り現象が発生すると、端子ホルダ１に端子２を挿入している途中から誤挿入が起こり、端子２を続けて挿入できなくなるという問題が起こる可能性がある。また、端子挿入後の端子ホルダ１を配線基板３に取り付け難くなるという懸念があった。
【０００９】
本発明の目的は、端子ホルダの反り現象が発生し難い電気接続箱を提供することを目的とする。
【課題を解決するための手段】
【００１０】
上述の課題を解決するために、本発明の請求項１記載の電気接続箱は、電気接続箱内に収容される配線基板と、前記配線基板に装着される端子ホルダとを備える電気接続箱において、前記端子ホルダに設けられた端子挿入孔の内部に端子を保持する端子保持部が設けられ、前記端子保持部が前記端子挿入孔の端子挿入方向の略中間部に設けられていることを特徴としている。
【００１１】
このようにしてなる請求項１記載の電気接続箱によれば、端子ホルダに設けられた端子挿入孔の内部に端子を保持する端子保持部が設けられ、端子保持部が端子挿入孔の端子挿入方向の略中間部に設けられているので、端子が端子ホルダに圧入された際に、端子ホルダにかかる応力は端子ホルダの略中心部にかかるので、端子ホルダが反るという現象がなくなる。
【００１２】
請求項２記載の電気接続箱は、請求項１記載の電気接続箱において、前記端子ホルダの端子挿入孔内部に設けられた端子保持部が前記端子挿入孔の内部壁面に設けられた突起リブであることを特徴としている。
【００１３】
このようにしてなる請求項２記載の電気接続箱によっても、請求項１と同様に端子が端子ホルダに圧入された際に、端子ホルダにかかる応力は端子ホルダの略中心部にかかるので、端子ホルダが反るという現象がなくなる。
【００１４】
請求項３記載の電気接続箱は、電気接続箱内に収容される配線基板と、前記配線基板に装着される端子ホルダとを備える電気接続箱において、前記端子ホルダに設けられた端子挿入孔は、端子を保持する端子保持部と、該端子保持部の端子挿入方向の両側それぞれに設けられた端子非接触部を有することを特徴としている。
【００１５】
このようにしてなる請求項３記載の電気接続箱によれば、端子が端子ホルダに圧入された際に、端子ホルダにかかる応力は端子ホルダの端子挿入方向において少なくとも端部よりも中心部側になり、端子ホルダが反る現象を防止することが出来る。
【発明の効果】
【００１６】
本発明による電気接続箱によると、端子ホルダを備える配線基板が収容される電気接続箱において、端子ホルダの反り現象が発生し難いという効果を奏する。
【発明を実施するための最良の形態】
【００１７】
以下、本発明に係る電気接続箱の最良の実施形態について図面に基づいて具体的に説明する。なお、本実施形態に係る電気接続箱のアッパーケース、ロアケース、アッパーカバー、及びロアカバーと、ロアケースとアッパーケースにより構成された筐体と、筐体に収納される配線基板について、従来技術と共通する部分については説明を省略する。
【００１８】
（実施の形態１）
図１は第１の実施の形態に係る電気接続箱の端子ホルダの端子挿入孔の部分の拡大図で（ａ）は平面図、（ｂ）は同図（ａ）のI−I断面図で、（ｃ）は端子２を端子挿入孔６に挿入した状態の断面図である。図１に示すように、端子ホルダ１には、配線基板に接続される端子２が圧入される。
端子挿入孔６の内部には、端子挿入孔６の入り口および出口となる枠状の端子非接触枠１０と、該端子非接触枠１０より狭い空間を形成し端子２を保持する、枠状の端子保持枠８が端子挿入孔の端子挿入方向の略中間部に設けられている。端子非接触枠１０は端子非接触部１２となり、端子保持枠８は端子２を保持するための端子保持部となる。
【００１９】
端子保持枠８は、図１（ｂ）に示すように端子挿入孔６の端子挿入方向の略中間部に設けられており、端子保持枠８の口径は、端子非接触枠１０の口径よりも狭く、また、端子２の脚部５の断面積よりもやや小さい。そのため、以下で説明するように、端子２を端子ホルダ１に挿入すると、端子２の脚部５が端子保持枠８に圧入され、端子２が端子ホルダ１に固定されることになる。
【００２０】
このような構成の端子ホルダ１では、端子ホルダ１の端子挿入孔６に端子２が保持された際、端子保持部にかかる応力Ｔは、端子ホルダ１の端子挿入方向の片端ではなく、端子ホルダ１の略中間部にかかる。そのため、端子２の数が多くなったとしても従来技術に係る電気接続箱の端子ホルダ１のように、端子ホルダ１が反るという現象を防止することが出来る。よって、端子自動挿入機等で端子挿入した場合に、誤挿入が起こるなどの虞を防止することができる上、端子挿入後の端子ホルダ１を電気接続箱の配線基板３に取り付け難くなる虞も防止することが出来る。
図１（ｄ）は本実施形態の端子保持部の形成位置を説明する概念図である。
図１（ｄ）に示すように、端子保持部１１は端子挿入孔６の端子挿入方向の略中間部に設けられているが、これは少なくとも、端子保持部１１が、端子挿入方向両側に端子非接触部１２を有する、という意味である。
少なくともこのような態様であれば端子ホルダ１の中心寄りに端子２の応力Ｔがかかるようになり、従来よりも端子ホルダ１の反りが防止される。
さらに好ましくは端子ホルダ１の端子挿入孔６の両端部Ｘ１、Ｘ２から等しい距離に位置する中心線Ｏを横切る態様で形成されていることで、さらに端子ホルダ１の中心寄りに端子２の応力Ｔがかかるようになり、端子ホルダ１の反りが防止される。
さらに図１（ｄ）に示すように、端子保持部の端子挿入方向の両端部Ｙ１、Ｙ２は、中心線Ｏから等しい距離に形成されることで、端子保持部にかかる応力Ｔを端子挿入方向でほぼ均等にすることが可能となり、さらに端子ホルダ１の反り防止効果を高くすることが出来る。
【００２１】
（実施の形態２）
図２は第２の実施の形態に係る電気接続箱の端子ホルダの端子挿入孔の部分の拡大図で（ａ）は平面図、（ｂ）は同図（ａ）のII−II断面図で、（ｃ）は端子を端子挿入孔に挿入した状態の断面図である。第１の実施の形態においては、端子保持部として、枠状の端子保持枠８を端子挿入孔６に設けていたが、本実施の形態では端子保持枠８に代えて、より簡易な構造である突起リブ形状にしたものである。
【００２２】
すなわち、図２（ａ）に示すように、端子保持部は端子挿入孔６の端子挿入方向の略中間部の狭面側壁の２箇所に設けられた突起リブ９からなっている。このような端子保持部によっても、端子ホルダ１の端子挿入孔６に端子２が保持された際、端子保持部にかかる応力Ｔは、端子ホルダ１の端子挿入方向の片端ではなく、端子ホルダ１の略中間部にかかるので端子ホルダ１が反るという現象を防止することが出来る。
【００２３】
（実施の形態３）図３は第３の実施の形態に係る電気接続箱の端子ホルダの端子挿入孔の部分の拡大図で（ａ）は平面図、（ｂ）は同図（ａ）のII−II断面図で、（ｃ）は端子を端子挿入孔に挿入した状態の断面図である。第２の実施の形態においては、端子保持部として、端子挿入孔６の狭面側壁の２箇所に突起リブ９を設けていたが、本実施の形態ではこれに加え、広面側壁にも突起リブ９を設けたものである。
【００２４】
すなわち、図３（ａ）に示すように、端子保持部は端子挿入孔６の端子挿入方向の略中間部の狭面側壁２箇所と、同じく端子挿入方向の略中間部の広面側壁の２箇所に設けられた突起リブ９からなっている。このような端子保持部によっても、端子ホルダ１の端子挿入孔６に端子２が保持された際、端子保持部にかかる応力Ｔは、端子ホルダ１の端子挿入方向の片端ではなく、端子ホルダ１の略中間部にかかるので端子ホルダ１が反るという現象を防止することが出来る。
【図面の簡単な説明】
【００２５】
【図１】本発明に係る電気接続箱の端子ホルダの端子挿入孔の部分の拡大図で（ａ）は平面図、（ｂ）は同図（ａ）のI−I断面図で、（ｃ）は端子を端子挿入孔に挿入した状態の断面図、（ｄ）は前記（ａ）と同じく平面図（説明概念図）である。
【図２】本発明に係る電気接続箱の端子ホルダの端子挿入孔の部分の拡大図で（ａ）は平面図、（ｂ）は同図（ａ）のII−II断面図で、（ｃ）は端子を端子挿入孔に挿入した状態の断面図である。
【図３】本発明に係る電気接続箱の端子ホルダの端子挿入孔の部分の拡大図で（ａ）は平面図、（ｂ）は同図（ａ）のIII−III断面図で、（ｃ）は端子を端子挿入孔に挿入した状態の断面図である。
【図４】電気接続箱に収納される配線基板の斜視図である。
【図５】配線基板に装着される端子ホルダの斜視図である。
【図６】端子ホルダに挿入される端子の正面図である。
【図７】従来技術に係る電気接続箱の端子ホルダの端子挿入孔の部分の拡大図で（ａ）は上面図、（ｂ）は同図（ａ）のIV−IV断面図で、（ｃ）は端子を端子挿入孔に挿入した状態の断面図である。
【図８】従来技術に係る電気接続箱の端子ホルダの正面図である。
【符号の説明】
【００２６】
１  端子ホルダ
２  端子
２２  音叉部
３  配線基板
４  電子部品
５  脚部
６  端子挿入孔
７  段差部
８  端子保持枠
９  突起リブ
１０  端子非接触枠
１１  端子保持部
１２  端子非接触部
Ｃ  コネクタ端子
Ｓ  反り方向  Ｔ  応力
【図１】
2006156355.tif 000003
【図２】
2006156355.tif 000004
【図３】
2006156355.tif 000005
【図４】
2006156355.tif 000006
【図５】
2006156355.tif 000007
【図６】
2006156355.tif 000008
【図７】
2006156355.tif 000009
【図８】
2006156355.tif 000010